(57)【要約】      （修正有）【課題】軽量であり、倉庫や工場、体育館などに複数基連結して設置が可能なＬＥＤ照明ユニットを提供する。【解決手段】ＬＥＤ光源と取り付け器具を一体化し電源を内蔵したＬＥＤ照明ユニット１０のボディ両側面に爪を有するレール型の放熱板帯４を設け、同型のＬＥＤ照明ユニットを複数基連結可能にした。このＬＥＤ照明ユニットは単体での使用もできるが、この一機種を２基３基４基と複数連結することにより必要な明るさ性能を得ることができる。また従来の高価で重いＬＥＤ照明器具と明るさ性能で比較しても非常に軽量であるため設置適合性の問題を解決している。【選択図】図１
0003205081.tif 000002
【実用新案登録請求の範囲】
【請求項１】
ＬＥＤ光源、電源などを一体化したＬＥＤ照明ユニットのボディの両側面に爪を有するレール型の放熱板帯を設け、同型のＬＥＤ照明ユニットを複数基連結できる事を特徴とするＬＥＤ照明ユニットである。
【請求項２】
請求項１のＬＥＤ照明ユニットは長方形であるが、多角形の形状のＬＥＤ照明器具でもボディ外周に爪を有するレール型の放熱板を設け、同型のＬＥＤ照明器具を複数基連結できる事を特徴とするＬＥＤ照明器具である。
【考案の詳細な説明】
【技術分野】
【０００１】  本考案はＬＥＤ光源、電源などを一体化したＬＥＤ照明ユニットの両側面に連結機能のある放熱板帯を設け、同型のＬＥＤ照明ユニットを連結できることを特徴とするＬＥＤ照明ユニットに関するものである。
【背景技術】
【０００２】  近年、地球環境保護の観点から消費電力の多い白熱電球の撤廃が世界各国で推進されている。
日本国内でも白熱電球に比べ寿命が長く省電力性能に優れたＬＥＤ照明が注目され、多くのＬＥＤ照明器具が開発されている。
現在ではＬＥＤ照明の寿命は白熱電球の約４０倍と長く、そのため球切れなどのメンテナンスが激減するため、数多くの照明を用いる遊園地や高天井の倉庫、工場、体育館、商業施設などに設置すれば維持管理費を抑える効果が大きい。
しかしながら既設照明器具と同等の明るさ性能を求めた場合、価格や設置コストを考慮すると設置適合性には問題があった。
その大きな要因としてはＬＥＤが発する熱がＬＥＤ照明の性能と寿命に大きく影響を及ぼすためＬＥＤ照明器具本体の放熱が重要な課題となっている。
そのため明るさ性能に比例し放熱部は大きく、同様に内蔵された電源も重くなり、その結果ＬＥＤ照明本体が大きく重くなっていた。
そのため、高天井の倉庫や工場、体育館などに用いられていた軽量な水銀灯の代わりに設置する場合には頑丈な取り付け工事等が必要であった。
従来のＬＥＤ照明・白熱球・蛍光灯・水銀灯などの照明は、その明るさ性能によって個別に製品化されているため、その発光体に適合したソケットなどを有する専用器具がそれぞれ必要であった。
【先行技術文献】
【０００３】  ｈｔｔｐ：／／ｓｏｕｌｉｇｈｔ．ｊｐ／２０１５／１０／２５／ｌｅｄ％Ｅ３％８１％ＡＥｆｐｌ％Ｅ８％９Ｂ％８Ｄ％Ｅ５％８５％８９％Ｅ７％８１％ＡＦ％Ｅ３％８０％９０ｆｐｌ％Ｅ３％８２％Ｂ７％Ｅ３％８３％ＡＡ％Ｅ３％８３％ＢＣ％Ｅ３％８２％ＢＡ％Ｅ３％８０％９１／
【考案の概要】
【考案が解決しようとする課題】
【０００４】  従来のＬＥＤ照明器具は［０００２］に記したように既設照明器具と同等の明るさ性能を求めた場合の価格や設置コストを考慮すると設置適合性には問題があった。
【課題を解決するための手段】
【０００５】  それらを解消するために、従来のように明るさ性能に応じた個別のＬＥＤ照明器具を用いるのではなく、ＬＥＤ光源と取り付け器具を一体化し電源を内蔵したＬＥＤ照明ユニットとし、さらにボディの両側面に爪を有するレール型の放熱板帯を設け、同型のＬＥＤ照明ユニットを複数基連結することにより求める明るさ性能を確保し、軽量で安価なＬＥＤ照明ユニットとして問題を解決している。
【図面の簡単な説明】
【０００６】
【図１】ＬＥＤ照明ユニットの一実施例の斜視図である。
【図２】ＬＥＤ照明ユニットの断面図である。
【図３】ＬＥＤ照明ユニット２基連結行程実施例の斜視図である。
【図４】ＬＥＤ照明ユニット２基連結実施例の斜視図である。
【図５】ＬＥＤ照明ユニット２基連結部の正面図である。
【図６】ＬＥＤ照明ユニット２基連結部の拡大正面図である。
【図７】ＬＥＤ照明ユニット３基連結実施例の斜視図である。
【考案を実施するための形態】
【０００７】  以下図１に従って実施例を説明する。１ａはＬＥＤ照明ユニット本体でボディは放熱効果が高く軽量なマグネシウムやアルミ合金を用い、正面と裏面には当該ＬＥＤ照明ユニットを複数連結した場合に固定する固定金具取り付け部１３とネジ穴１４を設け、両側面には複数の爪を有するレール型の放熱板帯３と４を設け、上部には放熱板帯５と電源コード１０と接続機器電気供給用のプラグイン型ケーブルコネクタ８、天井取り付け用ボルト１２を接合した取り付け金具１１を任意の場所で取り付けられるようにするためレール６と側面にもレール７を設けスライド可能にした。
【０００８】  図２のＡ−Ａ断面図のように本体１ａの内部にＬＥＤ光源部１７を設け、光の拡散と防塵のためのカバー２を設ける。
【実施例】
【０００９】  図３は１ａ本体と同型の１ｂ本体を接合する工程の一実施例である。
本体１ａの右側面に設けた爪を有するレール４に１ｂの左側面に設けた爪を有するレール３を合わせ、前後どちらかよりスライドさせ連結する。【００１０】  図４、ＬＥＤ照明ユニット本体１ａに１ｂを連結後前後に設けた固定金具取り付け部１３に連結固定金具１５をセットしネジ１６で固定する。
１ａのプラグイン型電源ケーブルコネクタ８より連結した１ｂのプラグイン型電源ケーブルコネクタ８に配線コード１８で配線する。
連結したＬＥＤ照明ユニット本体１ａのレール６と１ｂのレール６に天井取り付け用ボルト１２を接合した取り付け金具１１を取り付け天井や壁面などの構造体に取り付ける。【００１１】  図５はＬＥＤ照明ユニット本体１ａと連結したＬＥＤ照明ユニット本体１ｂの接合部を表す正面図である。【００１２】  図６は図５接合部を拡大した図である。図で見るように１ａと１ｂの接合部には空間が有り、放熱効果を損なわない。
【産業上の利用可能性】
【００１３】  本案のＬＥＤ照明ユニットを複数基連結することにより、従来のように専用照明器具を用いる事なく簡単に明るさ性能を変えることが出来る。また軽量であることから高天井の倉庫や工場、体育館などに用いられていた軽量な水銀灯の代わりに設置する場合にも同等の構造でも問題なく設置できる。
【符号の説明】
【００１４】１ａ  ＬＥＤ照明ユニット本体
２  照明部防塵カバー
３  連結機能を持った爪を有するレール型の放熱板帯
４  連結機能を持った爪を有するレール型の放熱板帯
５  上部放熱板帯
６  レール
７  レール
８  プラグイン型電源ケーブルコネクタ
９  配線コード
１０  電源コード
１１  取り付け金具
１２  天井取り付け用ボルト
１３  固定金具取り付け部
１４  ネジ穴
１５  連結固定金具
１６  ネジ
１７  ＬＥＤ光源部
１８  配線コード
【図１】
0003205081.tif 000003
【図２】
0003205081.tif 000004
【図３】
0003205081.tif 000005
【図４】
0003205081.tif 000006
【図５】
0003205081.tif 000007
【図６】
0003205081.tif 000008
【図７】
0003205081.tif 000009
【手続補正書】
【提出日】平成28年4月13日(2016.4.13)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤ光源、電源を一体化したＬＥＤ照明ユニットのボディの両側面に爪を有するレール型の放熱板帯を設け、同型のＬＥＤ照明ユニットを複数基連結できる事を特徴とするＬＥＤ照明ユニット。
【請求項２】
多角形の形状のＬＥＤ照明器具でもボディ外周に爪を有するレール型の放熱板を設け、同型のＬＥＤ照明器具を複数基連結できる事を特徴とするＬＥＤ照明器具。